(57)【要約】【課題】停電時のユーザの負担を軽減する。【解決手段】電力変換部２０は、太陽電池パネルから供給された直流電力を交流電力に変換する。出力部２１は、系統電源と負荷５０との間に挿入された分岐ブレーカ８を介して負荷５０に交流電力を供給する。自立運転コンセント２２は、ブレーカ１４を介して負荷５０に交流電力を供給する。監視部２３は、系統電源から負荷５０へ分岐ブレーカ８を介して供給される電力を監視する。切替部２４は、系統電源から負荷５０へ分岐ブレーカ８を介して供給される電力が低下した場合に、交流電力の出力先を出力部２１から自立運転コンセント２２に切替える。シーケンス部２５は、系統電源から負荷５０へ分岐ブレーカ８を介して供給される電力が低下した場合に、分岐ブレーカ８をオフする制御信号を出力し、ブレーカ１４をオンする制御信号を出力する。【選択図】図２
2012223072.tif 000002
【特許請求の範囲】
【請求項１】
分散電源から供給された直流電力を交流電力に変換する電力変換部と、
系統電源と負荷との間に挿入された遠隔操作可能な第１のブレーカを介して前記負荷に前記交流電力を供給する第１の出力部と、
遠隔操作可能な第２のブレーカを介して前記負荷に前記交流電力を供給する第２の出力部と、
を有するパワーコンディショニング装置を備える系統連系システムであって、
前記系統電源から前記負荷へ前記第１のブレーカを介して供給される電力を監視する監視部と、
前記系統電源から前記負荷へ前記第１のブレーカを介して供給される電力が低下した場合に、前記電力変換部で変換された交流電力の出力先を前記第１の出力部から前記第２の出力部に切替える切替部と、
前記系統電源から前記負荷へ前記第１のブレーカを介して供給される電力が低下した場合に、前記第１のブレーカをオフする制御信号を出力し、前記第２のブレーカをオンする制御信号を出力するシーケンス部と、
を備える系統連系システム。
【請求項２】
前記監視部は、
前記系統電源から前記負荷へ前記第１のブレーカを介して印加される電圧の最大レベルが、所定レベルを下回った場合に、前記系統電源から前記負荷へ前記第１のブレーカを介して供給される電力が低下したと判定する、
請求項１に記載の系統連系システム。
【請求項３】
前記系統電源から前記負荷へ前記第１のブレーカを介して供給される電力が回復した場合に、
前記切替部は、
前記電力変換部で変換された交流電力の出力先を前記第２の出力部から前記第１の出力部に切り替え、
前記シーケンス部は、
前記第２のブレーカをオフする制御信号を出力し、前記第１のブレーカをオンする制御信号を出力する、
請求項１又は２に記載の系統連系システム。
【請求項４】
前記監視部は、
前記系統電源から前記負荷へ前記第１のブレーカを介して印加される電圧の最大レベルが、所定レベルを超えた場合に、前記系統電源から前記負荷へ前記第１のブレーカを介して供給される電力が回復したと判定する、
請求項３に記載の系統連系システム。
【請求項５】
前記シーケンス部は、
前記第１、第２のブレーカのオンとオフの制御信号の出力タイミングを所定時間ずらす、
請求項１乃至４のいずれか一項に記載の系統連系システム。
【請求項６】
前記シーケンス部は、
前記第１、第２のブレーカの一方のブレーカをオフする制御信号を出力し、その応答信号を受信した後に、他方のブレーカをオンする制御信号を出力する、
請求項１乃至４のいずれか一項に記載の系統連系システム。
【請求項７】
前記シーケンス部は、
無線で、前記第１、第２のブレーカをオンする信号とオフする信号を送信する、
請求項１乃至６のいずれか一項に記載の系統連系システム。
【請求項８】
前記シーケンス部は、
前記系統電源から前記負荷へ前記第１のブレーカを介して供給される電力が低下した場合に、前記分散電源から供給される電力の大きさに応じて、前記第２のブレーカと、前記第２のブレーカに接続された複数のコンセントのうちのいずれか１つのコンセントとの間に挿入された第３のブレーカのオンオフを制御する、
請求項１乃至７のいずれか一項に記載の系統連系システム。
【請求項９】
前記系統電源から前記負荷へ前記第１のブレーカを介して供給される電力が低下した場合に、前記第２の出力部に接続された全ての前記負荷の消費電力が所定の電力以下となるように、前記負荷のデマンド制御を行うデマンド制御部をさらに備える、
請求項１乃至７のいずれか一項に記載の系統連系システム。
【請求項１０】
前記監視部と、前記切替部と、前記シーケンス部とが前記パワーコンディショニング装置内に設けられ、
前記切替部は、
前記監視部で監視される電力に基づいて、前記系統電源から前記負荷へ前記第１のブレーカを介して供給される電力の低下及び回復を認識し、
前記シーケンス部は、
前記切替部から出力された前記交流電力の出力先に関する情報を含む信号に基づいて、前記系統電源から前記負荷へ前記第１のブレーカを介して供給される電力の低下及び回復を認識する、
請求項１乃至９のいずれか一項に記載の系統連系システム。
【請求項１１】
前記監視部と、前記切替部が、
前記パワーコンディショニング装置内に設けられ、
前記シーケンス部は、
前記パワーコンディショニング装置外に設けられ、
前記切替部は、
前記監視部で監視される電力に基づいて、前記系統電源から前記負荷へ前記第１のブレーカを介して供給される電力の低下及び回復を認識し、
前記シーケンス部は、
前記第２の出力部から出力される電力に基づいて、前記系統電源から前記負荷へ前記第１のブレーカを介して供給される電力の低下及び回復を認識する、
請求項１乃至９のいずれか一項に記載の系統連系システム。
【請求項１２】
前記切替部が、前記パワーコンディショニング装置内に設けられ、
前記監視部と、前記シーケンス部とが前記パワーコンディショニング装置外に設けられたアダプタに設けられ、
前記切替部及び前記シーケンス部は、
前記監視部から出力される前記監視部で監視される電力の低下及び回復の判定結果を含む信号に基づいて、前記系統電源から前記負荷へ前記第１のブレーカを介して供給される電力の低下及び回復を認識する、
請求項１乃至９のいずれか一項に記載の系統連系システム。
【発明の詳細な説明】
【技術分野】
【０００１】
この発明は、分散電源が系統電源と連系する系統連系システムに関する。
【背景技術】
【０００２】
従来より、太陽電池パネルを分散電源として備える系統連系システムが開示されている。系統連系システムは、太陽電池パネルで発電された直流電力を交流電力に変換するパワーコンディショニングシステム（以下、ＰＣＳと略称する）が設けられている。
【０００３】
ＰＣＳは、太陽光発電用ブレーカ等を介して、系統電源に接続された契約ブレーカよりも負荷側の幹線に接続されている。ＰＣＳで変換された交流電力は、下段に接続された漏電ブレーカ及びそれに続く分岐ブレーカを介して各部屋のコンセントに供給される一方、余剰電力は契約ブレーカを介して系統電源の方へ供給される。このようにして、ＰＣＳは、系統電源との連系動作を行っている。このように動作しているときのＰＣＳの動作モードを連系動作モードという。
【０００４】
この連系動作モードの他に、系統電源から供給される電力の停止、すなわち停電時の動作モードとして、自立運転モードを備えるＰＣＳが開示されている（例えば、特許文献１参照）。停電時には、感電防止や供給電力の信頼性の観点から制定された法令上又は技術上の制限により、ＰＣＳは、太陽電池パネルで発電された電力を幹線に送ることができない。
【０００５】
このため、自立運転モードでは、ＰＣＳは、系統への交流電力の供給を停止するとともに、自立運転コンセントから太陽光発電による交流電力を出力する。自立運転コンセントは、家屋に設置された特定の非常用コンセントに接続されている。このため、停電により、系統電源からの電力の供給が停止すると、手動でＰＣＳの動作モードを連系動作モードから自立運転モードに切り替えれば、非常用コンセントから太陽光発電による電力の供給を受けることができる。
【先行技術文献】
【特許文献】
【０００６】
【特許文献１】特開２０１０−２５９１７０号公報
【発明の概要】
【発明が解決しようとする課題】
【０００７】
このように、上記特許文献１に開示されたＰＣＳでは、停電時には、手動で系統連系モードから自立運転モードに切り替える必要がある。また、停電中には、特定の非常用コンセントからしか電力を取り出すことができなくなるため、使用する電気機器のプラグを通常のコンセントから非常用のコンセントにつなぎかえる必要がある。このため、停電時に太陽電池パネルによって発電された電力を用いようとするユーザの負担が大きくなっていた。
【０００８】
この発明は、上記実情に鑑みてなされたものであり、ユーザの負担を軽減することができる系統連系システムを提供することを目的とする。
【課題を解決するための手段】
【０００９】
上記目的を達成するために、この発明に係る系統連系システムは、パワーコンディショニング装置を備える。パワーコンディショニング装置において、電力変換部は、分散電源から供給された直流電力を交流電力に変換する。第１の出力部は、系統電源と負荷との間に挿入された遠隔操作可能な第１のブレーカを介して負荷に交流電力を供給する。第２の出力部は、遠隔操作可能な第２のブレーカを介して負荷に交流電力を供給する。
【００１０】
この系統連系システムにおいて、監視部は、系統電源から負荷へ第１のブレーカを介して供給される電力を監視する。切替部は、系統電源から負荷へ第１のブレーカを介して供給される電力が低下した場合に、電力変換部で変換された交流電力の出力先を第１の出力部から第２の出力部に切替える。シーケンス部は、系統電源から負荷へ第１のブレーカを介して供給される電力が低下した場合に、第１のブレーカをオフする制御信号を出力し、第２のブレーカをオンする制御信号を出力する。
【発明の効果】
【００１１】
この発明によれば、系統電源から負荷側に流れる電力が低下すると、分散電源から供給され変換された交流電力を、第１のブレーカを介してではなく、第２のブレーカを介して負荷に供給することができる。このため、パワーコンディショニング装置における電力の出力先の切り替えを手動で行ったり、コンセントをつなぎ変えたりする必要がなくなるので、ユーザの負担を軽減することができる。
【図面の簡単な説明】
【００１２】
【図１】この発明の実施の形態１に係る系統連系システムの概略的な構成を示すブロック図である。
【図２】図１のＰＣＳの内部構成を示すブロック図である。
【図３】図１の系統連系システムの通常時の動作（その１）を示す図である。
【図４】図１の系統連系システムの停電時の動作（その２）を示す図である。
【図５】この発明の実施の形態２に係る系統連系システムの概略的な構成を示すブロック図である。
【図６】この発明の実施の形態３に係る系統連系システムの概略的な構成を示すブロック図である。
【図７】図６のＰＣＳの内部構成を示すブロック図である。
【図８】この発明の実施の形態４に係る系統連系システムの概略的な構成を示すブロック図である。
【図９】図８のＰＣＳの内部構成を示すブロック図である。
【図１０】この発明の実施の形態５に係る系統連系システムの概略的な構成を示すブロック図である。
【発明を実施するための形態】
【００１３】
この発明の実施の形態について、図面を参照して詳細に説明する。
【００１４】
実施の形態１．
まず、この発明の実施の形態１について説明する。
【００１５】
図１には、この実施の形態１に係る系統連系システム１００の概略的な構成が示されている。系統電源１から延びる主幹線は、買電用メータ２及び売電用メータ３を介して契約ブレーカ４と接続されている。契約ブレーカ４に接続された主幹線はさらに漏電ブレーカ５へと延びている。
【００１６】
漏電ブレーカ５を経た主幹線は、複数の分岐幹線に分岐される。複数の分岐幹線のうち、分岐ブレーカ６と接続された分岐幹線は、コンセント７Ａ、７Ｂと接続されている。また、遠隔操作可能な分析ブレーカ８と接続された分析幹線は、コンセント９Ａ、９Ｂ、９Ｃと接続されている。
【００１７】
コンセント７Ａ、７Ｂは、通常時のコンセントとして用いられる。また、コンセント９Ａ、９Ｂ、９Ｃは、通常時、非常時兼用のコンセントとして用いられる。
【００１８】
一方、分散電源としての太陽電池パネル１０は、ブレーカなどを備える接続箱１１を介してＰＣＳ１２と接続されている。ＰＣＳ１２は、太陽電池パネル１０で発電された直流電力を交流電力に変換する。ＰＣＳ１２は、太陽光発電用ブレーカ１３を介して、契約ブレーカ４と、漏電ブレーカ５の間の幹線に接続されている。ＰＣＳ１２で変換された交流電力は、契約ブレーカ４と、漏電ブレーカ５の間に供給される。
【００１９】
図２には、ＰＣＳ１２の内部構成が示されている。図２に示すように、ＰＣＳ１２は、電力変換部２０と、出力部２１と、自立運転コンセント２２と、を備える。
【００２０】
電力変換部２０は、接続箱１１を介して太陽電池パネル１０から供給された直流電力を交流電力に変換するインバータ回路である。
【００２１】
第１の出力部としての出力部２１は、太陽光発電ブレーカ１３と、系統電源１と負荷５０との間に挿入された遠隔操作可能な第１のブレーカとしての分岐ブレーカ８と、コンセント９Ａとを介して負荷５０等に交流電力を供給する。
【００２２】
第２の出力部としての自立運転コンセント２２は、遠隔操作可能な第２のブレーカとしてのブレーカ１４と、コンセント９Ａとを介して負荷５０に交流電力を供給する。
【００２３】
ＰＣＳ１２は、監視部２３と、切替部２４と、シーケンス部２５とをさらに備える。
【００２４】
監視部２３は、系統電源１から負荷５０へ分岐ブレーカ８を介して供給される電力を太陽発電用ブレーカ１３を介して監視する。より具体的には、監視部２３は、系統電源１から負荷５０へ分岐ブレーカ８を介して印加される電圧の最大レベルが、所定レベル（例えば、通常電圧の８０％）を下回った場合に、系統電源１から負荷５０へ分岐ブレーカ８を介して供給される電力が低下したと判定する。また、監視部２３は、系統電源１から負荷５０へ分岐ブレーカ８を介して印加される電圧の最大レベルが、所定レベル（例えば、通常電圧の８０％）を超えた場合に、系統電源１から負荷５０へ分岐ブレーカ８を介して供給される電力が回復したと判定する。
【００２５】
切替部２４は、系統電源１から負荷５０へ分岐ブレーカ８を介して供給される電力が低下した場合に、電力変換部２０で変換された交流電力の出力先を出力部２１から自立運転コンセント２２に切替える。さらに、切替部２４は、系統電源１から負荷５０へ分岐ブレーカ８を介して供給される電力が回復した場合に、電力変換部２０で変換された交流電力の出力先を自立運転コンセント２２から出力部２１に切り替える。
【００２６】
シーケンス部２５は、系統電源１から負荷５０へ分岐ブレーカ８を介して供給される電力が低下した場合に、分岐ブレーカ８をオフする制御信号を出力し、ブレーカ１４をオンする制御信号を出力する。また、シーケンス部２５は、系統電源１から負荷５０へ分岐ブレーカ８を介して供給される電力が回復した場合に、ブレーカ１４をオフする制御信号を出力し、分岐ブレーカ８をオンする制御信号を出力する。
【００２７】
シーケンス部２５は、分岐ブレーカ８、ブレーカ１４のオンとオフの制御信号の出力タイミングを所定時間ずらす。例えば、シーケンス部２５は、系統電源１から負荷５０へ分岐ブレーカ８を介して供給される電力が低下した場合に、分岐ブレーカ８をオフする制御信号を出力した後、所定時間経過後に、ブレーカ１４をオンする制御信号を出力する。一方、シーケンス部２５は、系統電源１から負荷５０へ分岐ブレーカ８を介して供給される電力が回復した場合に、ブレーカ１４をオフする制御信号を出力した後、所定時間経過後に、分岐ブレーカ８をオンする制御信号を出力する。
【００２８】
しかしながら、シーケンス部２５は、分岐ブレーカ８及びブレーカ１４の一方のブレーカをオフする制御信号を出力し、その応答信号を受信した後に、他方のブレーカをオンする制御信号を出力するようにしてもよい。この場合、シーケンス部２５は、系統電源１から負荷５０へ分岐ブレーカ８を介して供給される電力が低下した場合に、分岐ブレーカ８をオフする制御信号を出力し、分岐ブレーカ８からその応答信号を受信した後に、ブレーカ１４をオンする制御信号を出力する。一方、シーケンス部２５は、系統電源１から負荷５０へ分岐ブレーカ８を介して供給される電力が回復した場合に、ブレーカ１４をオフする制御信号を出力した後、ブレーカ１４からその応答信号を受信した後に、分岐ブレーカ８をオンする制御信号を出力する。
【００２９】
次に、この実施の形態に係る系統連系システムの動作について、図３、図４を参照して説明する。
【００３０】
図３に示すように、系統電源１から交流電力の供給がなされている場合、切替部２４は、電力変換部２０で変換された交流電力を、出力部２１から出力する。出力部２１から出力された交流電力は、太陽光発電用ブレーカ１３を経た後、さらに、漏電ブレーカ５、分岐ブレーカ６、８及びコンセント７Ａ、７Ｂ、９Ａ、９Ｂ、９Ｃを経て、負荷５０等に送られる。
【００３１】
図４に示すように、停電になると、系統電源１から交流電力が供給されなくなるので、監視部２３で監視される電圧が所定レベルを下回る。このため、切替部２４は、電力変換部２０で変換された交流電力を、出力部２１から自立運転コンセント２２に出力する。さらに、シーケンス部２５は、分岐ブレーカ８をオフする制御信号を出力した後、ブレーカ１４をオンする制御信号を出力する。これにより、自立運転コンセント２２から出力された交流電力は、ブレーカ１４及びコンセント９Ａ、９Ｂ、９Ｃを介して負荷５０に送られるようになる。
【００３２】
また、系統電源１から交流電力の供給が再開されると、監視部２３で監視される電圧が所定レベルを上回る。このため、切替部２４は、電力変換部２０で変換された交流電力の出力先を、自立運転コンセント２２から出力部２１に切替える。さらに、シーケンス部２５は、ブレーカ１４をオフする制御信号を出力した後、分岐ブレーカ８をオンする制御信号を出力する。これにより、出力部２１から出力された交流電力は、分岐ブレーカ８及びコンセント７Ａ、７Ｂ、９Ａ、９Ｂ、９Ｃを介して負荷５０に送られるようになる。
【００３３】
以上詳細に説明したように、この実施の形態によれば、系統電源１から負荷５０側に流れる電力が低下すると、太陽電池パネル１０から供給され変換された交流電力を、分岐ブレーカ８を介してではなく、ブレーカ１４を介して負荷５０に供給することができる。このため、ＰＣＳ１２における電力の出力先の切り替えを手動で行ったり、コンセントをつなぎ変えたりする必要がなくなるので、ユーザの負担を軽減することができる。
【００３４】
この実施の形態では、監視部２３と、切替部２４と、シーケンス部２５とは、ＰＣＳ１２内に設けられている。切替部２５は、監視部２３で監視される電力に基づいて、系統電源１から負荷５０へ分岐ブレーカ８を介して供給される電力の低下及び回復を認識する。シーケンス部２５は、切替部２４から出力された交流電力の出力先に関する情報を含む信号に基づいて、系統電源１から負荷５０へ分岐ブレーカ８等を介して供給される電力の低下及び回復を認識する。監視部２３と、切替部２４と、シーケンス部２５をＰＣＳ１２内に組み込むようにすれば、システム全体を簡便なものとすることができる。
【００３５】
実施の形態２．
次に、この発明の実施の形態２について説明する。
【００３６】
図５には、この実施の形態に係る系統連系システム１００の概略的な構成が示されている。図５に示すように、この実施の形態では、ブレーカ１４と、コンセント９Ａとの間に遠隔操作可能な第３のブレーカとしてのブレーカ１５が挿入されている。
【００３７】
本実施形態では、シーケンス部２５は、太陽電池パネル１０から供給される電力を測定可能である。シーケンス部２５は、系統電源１から負荷５０へ分岐ブレーカ８を介して供給される電力が低下した場合に、太陽電池パネル１０から供給される直流電力の大きさに応じて、ブレーカ１４と、ブレーカ１４とコンセント９Ａとの間に挿入されたブレーカ１５のオンオフを制御する。
【００３８】
例えば、太陽電池パネルから供給される電力が、１０００Ｗであれば、シーケンス部２５は、ブレーカ１５をオフして、使用可能なコンセントをコンセント９Ｂ、９Ｃのみとすることができる。
【００３９】
その他の動作は、上記実施の形態１と同じである。
【００４０】
以上詳細に説明したように、この実施の形態によれば、太陽電池パネル１０から供給される電力の大きさに応じて、負荷全体の消費電力を調整することができる。これにより、太陽電池パネル１０の電力を効率的に使用して、消費電力を低減することができる。
【００４１】
実施の形態３．
次に、この発明の実施の形態３について説明する。
【００４２】
図６には、この実施の形態に係る系統連系システム１００の概略的な構成が示されている。図６に示すように、この実施の形態では、シーケンサ１６が設けられている点が、上記実施の形態１、２と異なる。シーケンス部としてのシーケンサ１６は、ＰＣＳ１２外に設けられている。
【００４３】
図７には、この実施の形態に係るＰＣＳ１２等の内部構成が示されている。図７に示すように、この実施の形態では、監視部２３と、切替部２４が、ＰＣＳ１２内に設けられている。
【００４４】
切替部２４は、監視部２３で監視される電力に基づいて、系統電源１から負荷５０へ分岐ブレーカ８等を介して供給される電力の低下及び回復を認識する。そして、切替部２４は、電圧の出力先を、出力部２１と自立運転コンセントとの間で切替える。
【００４５】
また、シーケンス部２５は、自立運転コンセント２２から出力される電力に基づいて、系統電源１から負荷５０へ分岐ブレーカ８を介して供給される電力の低下及び回復を認識する。そして、シーケンス部２５は、分岐ブレーカ８とブレーカ１４との一方をオンし、他方をオフする。
【００４６】
その他の動作は、上記実施の形態１と同じである。
【００４７】
以上詳細に説明したように、この実施の形態によれば、シーケンサ１６を導入するだけで、従前のＰＣＳ１２を用いて、ユーザの負担を軽減することができる。
【００４８】
なお、シーケンサ１６は、分岐ブレーカ８内に設けられていてもよい。
【００４９】
実施の形態４．
次に、この発明の実施の形態４について説明する。
【００５０】
図８には、この実施の形態に係る系統連系システム１００の概略的な構成が示されている。図８に示すように、この実施の形態では、アダプタ１７を備えている点が、上記各実施の形態と異なる。
【００５１】
この実施の形態では、図９に示すように、切替部２４が、ＰＣＳ１２内に設けられている。また、監視部２３及びシーケンス部２５は、ＰＣＳ１２外であって、アダプタ１７内に設けられている。
【００５２】
この実施の形態では、アダプタ１７内の監視部２３は、系統電源から供給される電力を監視し、電力の低下及び回復を判定している。ＰＣＳ１２内の切替部２４及びアダプタ１７内のシーケンス部２５は、監視部２３で監視される電力の低下及び回復の判定結果を含む信号に基づいて、系統電源１から負荷５０へ分岐ブレーカ８を介して供給される電力の低下及び回復を認識する。
【００５３】
以上詳細に説明したように、この実施の形態によれば、アダプタ１７を導入するだけで、従前のＰＣＳ１２を用いて、ユーザの負担を軽減することができる。
【００５４】
実施の形態５．
次に、この発明の実施の形態５について説明する。
【００５５】
図１０には、この実施の形態に係る系統連系システム１００の概略的な構成が示されている。図１０に示すように、この実施の形態では、負荷５０として、空調機、冷蔵庫、ＩＨ調理器等を備えている。
【００５６】
また、この系統連系システム１００は、ＨＥＭＳ（home energy management system）のデマンド制御器としてのＨＥＭＳコントローラ１８をさらに備える。ＨＥＭＳコントローラ１８は、負荷５０と無線通信が可能であり、この無線通信を介して、負荷５０を遠隔操作可能である。
【００５７】
より具体的には、ＨＥＭＳコントローラ１８は、系統電源１から負荷５０へ分岐ブレーカ８を介して供給される電力が低下した場合に、自立運転コンセント２２に接続された全ての負荷５０の消費電力が所定の電力（例えば１５００Ｗ）以下となるように、負荷５０のデマンド制御を行う。ＨＥＭＳコントローラ１８には、各負荷５０の定格電力や各負荷５０の電力制限の優先順位などが格納されている。ＨＥＭＳコントローラ１８は、各負荷５０の定格電力の和が所定の電力を超える場合に、優先順位が最も低い負荷から電力を制限するような制御を行うことができる。
【００５８】
例えば、負荷（エアコン）５０と、負荷（冷蔵庫）５０と、負荷（ＩＨＣＨ）５０が動作中である場合、ＨＥＭＳコントローラ１８は、負荷（エアコン）５０の冷房温度を高くするなどして、全体の消費電力が１５００Ｗ以下となるように制御する。
【００５９】
なお、ＨＥＭＳコントローラ１８は、無線通信ではなく、例えば電力線通信等の有線により、各負荷５０を遠隔操作するようにしてもよい。
【００６０】
以上詳細に説明したように、この実施の形態によれば、太陽電池パネル１０で発電した電力の消費量を一定電力以下に抑えることができるので、消費電力を低減することができる。
【００６１】
なお、上記各実施の形態では、シーケンス部２５は、無線通信ではなく、例えば電力線通信等の有線により、分岐ブレーカ８及びブレーカ１４をオンする信号とオフする信号を送信するようにしてもよい。
【００６２】
なお、上記各実施の形態では、太陽電池パネル１０を分散電源とするシステムについて説明したが、本発明はこれには限られない。例えば、燃料電池等を分散電源とするシステムにも本発明を適用することができる。
【００６３】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００６４】
この発明は、分散電源を用いて系統電源との系統連系制御を行うのに好適であり、特に太陽光発電システムでの系統連系制御に好適である。
【符号の説明】
【００６５】
１  系統電源
２  買電用メータ
３  売電用メータ
４  契約ブレーカ
５  漏電ブレーカ
６  分岐ブレーカ
７Ａ、７Ｂ  コンセント
８  分岐ブレーカ
９Ａ、９Ｂ、９Ｃ  コンセント
１０  太陽電池パネル
１１  接続箱
１２  ＰＣＳ
１３  太陽光発電用ブレーカ
１４、１５  ブレーカ
１６  シーケンサ
１７  アダプタ
１８  ＨＥＭＳコントローラ
２０  電力変換部
２１  出力部
２２  自立運転コンセント
２３  監視部
２４  切替部
２５  シーケンス部
５０  負荷
１００  系統連系システム
【図１】
2012223072.tif 000003
【図２】
2012223072.tif 000004
【図３】
2012223072.tif 000005
【図４】
2012223072.tif 000006
【図５】
2012223072.tif 000007
【図６】
2012223072.tif 000008
【図７】
2012223072.tif 000009
【図８】
2012223072.tif 000010
【図９】
2012223072.tif 000011
【図１０】
2012223072.tif 000012